【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
電子部品を搭載するとともに遊技に関わる制御を実行する制御基板を基板ボックスに収容してなる制御装置を備え、操作部が操作されたことに基づいて前記制御基板が遊技機の状態を変更する制御を実行する遊技機において、
前記制御基板に前記操作部を直接搭載するとともに、前記基板ボックスに前記操作部を露出させるための開口部を形成し、さらに、前記開口部の周縁部に前記制御装置から外方に突出する壁部を設けて前記操作部の周囲を覆う構成としたことを特徴とする遊技機。
【請求項２】
前記開口部の周縁部の少なくとも前記制御基板の前記電子部品側に、前記制御基板側に突出する第２壁部を設けたことを特徴とする請求項１に記載の遊技機。
【請求項３】
前記操作部は、その先端部に前記制御基板側に押圧操作される押圧部を有し、
前記壁部は、その先端が、前記押圧部を操作されていない場合の押圧部先端と同一又はそれより基板ボックス側に位置するように形成したことを特徴とする請求項１又は２に記載の遊技機。
【請求項４】
前記第２壁部は、その先端が、前記押圧部を操作された場合の押圧部先端より前記基板ボックス側に位置するように形成したことを特徴とする請求項２又は３に記載の遊技機。
【手続補正２】
【補正対象書類名】明細書
【補正対象項目名】全文
【補正方法】変更
【補正の内容】
【発明の詳細な説明】
【発明の名称】遊技機
【技術分野】
【０００１】
本発明は、スロットマシン等の遊技機に関するものである。
【背景技術】
【０００２】
例えばスロットマシン等の遊技機においては、遊技に関する制御を行うための主制御装置が筐体内部に設けられており、当該主制御装置により、当たり抽選や遊技媒体の付与に関する制御等が行われるようになっている。主制御装置は、制御基板と、該制御基板を収容する基板ボックスを有し、制御基板には、例えばビッグボーナス役等の所定役の当選確率が異なる抽選テーブルを複数記憶するＲＯＭが搭載されている。また、筐体内部には、当たり抽選の際に用いる抽選テーブルを設定するための操作部が設けられている。そして、遊技機を設置する遊技場の管理者等が操作部を操作することにより、遊技媒体の出率（使用された遊技媒体に対する付与した遊技媒体の割合の期待値）を調整できるようになっている。
【０００３】
設定されている抽選テーブルを変更する（設定変更する）場合には、先ず、筐体の前面側を覆う前面扉を開放し、筐体内部に設けられた電源スイッチをオフ操作して電源を遮断する。その後、第１操作部としての設定キースイッチに設定キーを挿入して設定キースイッチをオン操作し、かかる状態で電源スイッチをオン操作して電源を復旧させる。そして、第２操作部としての設定変更スイッチを操作することで所望の抽選テーブルを選択し、スタートレバーを操作することで抽選テーブルを決定する。その後、設定キースイッチをオフ操作する。上記操作を行うことにより、それ以降の当たり抽選が選択された抽選テーブルを用いて行われるようになる（例えば特許文献１参照）。
【０００４】
【特許文献１】特開２００７−１８１６２２号公報
【発明の開示】
【発明が解決しようとする課題】
【０００５】
かかる構成の遊技機において、例えば設定変更スイッチが主制御装置以外の装置や部材に設けられている場合、設定変更スイッチと主制御装置とを電気的に接続するケーブル等をショートさせて設定が不正に変更される可能性が懸念される。そこで本発明者らは、主制御装置に収容される制御基板に設定変更スイッチを直接搭載すれば、ケーブル等が不要となり、前記懸念を解消することができると想定するに至った。しかしながら、かかる構成とした場合、設定変更スイッチを露出させるための開口部を基板ボックスに形成する必要が生じるため、当該開口部と設定変更スイッチの隙間から針金等を挿入して制御基板に不正がなされる可能性が懸念される。
【０００６】
なお、以上の問題は、設定変更する際に操作される操作部を制御基板に搭載したスロットマシンに限らず、所定のエラー状態から復旧させる際に操作される操作部を制御基板に搭載した他の遊技機にも該当する問題である。
【０００７】
本発明は上記例示した事情等に鑑みてなされたものであり、制御装置に対して不正がなされることを抑制することが可能な遊技機を提供することを目的とするものである。
【課題を解決するための手段】
【０００８】
請求項１に記載の発明では、電子部品を搭載するとともに遊技に関わる制御を実行する制御基板を基板ボックスに収容してなる制御装置を備え、操作部が操作されたことに基づいて前記制御基板が遊技機の状態を変更する制御を実行する遊技機において、前記制御基板に前記操作部を直接搭載するとともに、前記基板ボックスに前記操作部を露出させるための開口部を形成し、さらに、前記開口部の周縁部に前記制御装置から外方に突出する壁部を設けて前記操作部の周囲を覆う構成としたことを特徴とする。
【発明の効果】
【０００９】
制御装置に対して不正がなされることを抑制することが可能となる。
【発明を実施するための最良の形態】
【００１０】
以下、本発明の遊技機を手段として区分して示し、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【００１１】
手段１．電子部品を搭載するとともに遊技に関わる制御を実行する制御基板を基板ボックスに収容してなる制御装置を備え、操作部が操作されたことに基づいて前記制御基板が遊技機の状態を変更する制御を実行する遊技機において、
前記制御基板に前記操作部を直接搭載するとともに、前記基板ボックスに前記操作部を露出させるための開口部を形成し、さらに、前記開口部の周縁部に前記制御装置から外方に突出する壁部を設けて前記操作部の周囲を覆う構成としたことを特徴とする遊技機。
手段１によれば、制御基板に操作部を直接搭載したため、制御基板と操作部とを電気的に接続するケーブル等が不要となり、操作部を操作するのではなく前記ケーブル等をショートさせて遊技機の状態を変更する不正を防止することが可能となる。また、開口部の周縁部に制御装置から外方に突出する壁部を設けて操作部の周囲を覆う構成としたため、仮に開口部と操作部との隙間から針金等を挿入されたとしても当該針金等を電子部品に到達させることを困難なものとすることができ、制御基板に搭載された電子部品に対して不正を行うことを困難なものとすることができる。さらに、壁部を制御装置から外方に突出して設けたため、壁部を有さない又は壁部を制御基板側に設けた構成と比して針金等が挿入される位置を制御基板から遠ざけることができ、針金等を電子部品に到達させることを困難なものとすることができる。
以上の結果、制御装置に対して不正がなされることを好適に抑制することが可能となる。
【００１２】
手段２．上記手段１において、前記操作部は、その先端部に前記制御基板側に押圧操作される押圧部を有し、前記押圧部が押圧操作された場合、前記操作部の先端が前記制御基板側に変位することを特徴とする遊技機。
【００１３】
手段２によれば、操作部は、制御基板側に押圧操作される押圧部を有しており、押圧部が押圧操作された場合、操作部の先端が制御基板側に変位する。かかる構成においては、押圧部が操作部から取り外された場合に針金等を挿入可能な領域が広がってしまうことが懸念されるが、壁部を制御装置から外方に突出して設けることにより、押圧部が操作部から取り外されることを困難なものとすることができる。
【００１４】
手段３．上記手段２において、前記壁部を、その先端が前記押圧部を操作されていない場合の押圧部先端と同一又はそれより基板ボックス側に位置するように形成したことを特徴とする遊技機。
【００１５】
手段３によれば、壁部は、その先端が押圧部を操作されていない場合の押圧部先端と同一又はそれより基板ボックス側に位置するように形成されている。かかる構成とすることにより、操作部の操作性を確保しつつ制御装置に対して不正がなされることを抑制することが可能となる。
【００１６】
手段４．上記手段２又は手段３において、前記開口部の周縁部のうち少なくとも前記制御基板の電子部品側に、前記制御基板側に突出する第２壁部を設けたことを特徴とする遊技機。
【００１７】
手段４によれば、開口部の周縁部のうち少なくとも前記制御基板の電子部品側に、制御基板側に突出する第２壁部を設けたため、仮に操作部と開口部の隙間から針金等が挿入されたとしても、針金等を電子部品側に移動させることを第２壁部により規制できる。故に、針金等を電子部品に到達させることを困難なものとすることができる。
【００１８】
手段５．上記手段２又は手段３において、前記開口部の周縁部に、前記制御基板側に突出する第２壁部を全周にわたって設けたことを特徴とする遊技機。
【００１９】
手段５によれば、開口部の周縁部に、制御基板側に突出する第２壁部を全周にわたって設けたため、第２壁部を有さない構成と比して開口部における制御基板から基板ボックスまでの距離を短くすることができる。故に、第２壁部先端より制御基板側に針金等を到達させ、第２壁部と制御基板との間の隙間領域を利用して針金等の形状や向きを変更することを困難なものとすることができる。
【００２０】
手段６．上記手段４又は手段５において、前記第２壁部を、その先端が前記押圧部を操作された場合の押圧部先端より基板ボックス側に位置するように形成したことを特徴とする遊技機。
【００２１】
手段６によれば、第２壁部は、その先端が押圧部を操作された場合の押圧部先端より基板ボックス側に位置するように形成されている。かかる構成とすることにより、押圧部の変位状況に関わらず押圧部の電子部品側の側部に壁部又は第２壁部を位置させることができる。故に、押圧部の変位方向において押圧部先端が第２壁部より制御基板側に位置するように押圧部を移動させた上で針金等を挿入する不正を防止することができる。
【００２２】
手段７．上記手段１乃至手段６のいずれかにおいて、前記壁部を前記基板ボックスに一体形成したことを特徴とする遊技機。
【００２３】
手段７によれば、壁部を基板ボックスに一体形成したため、壁部を基板ボックスから取り外した上で針金等を挿入する不正を防止することができる。
【００２４】
手段８．上記手段１乃至手段７のいずれかにおいて、前記操作部の先端側を覆う第１位置と、前記操作部の先端側が露出する第２位置とに移動可能な蓋部材を設けたことを特徴とする遊技機。
【００２５】
手段８によれば、操作部の先端側を覆う第１位置と、操作部の先端側が露出する第２位置とに移動可能な蓋部材を設けたため、蓋部材を第１位置に移動させておけば、当該蓋部材により針金等を基板ボックス内部に挿入されることを抑制することが可能となる。
【００２６】
手段９．上記手段１乃至手段８のいずれかにおいて、前記制御基板は、前記操作部が操作されたことに基づいて遊技に用いる遊技媒体の出率を変更する制御を実行することを特徴とする遊技機。
【００２７】
手段９によれば、遊技媒体の出率を変更する場合に操作される操作部を制御基板に直接搭載したため、制御基板と操作部とを電気的に接続するケーブル等をショートさせて遊技媒体の出率を変更する不正を防止することが可能となる。
【００２８】
手段１０．上記手段１乃至手段９のいずれかにおいて、前記制御基板は、前記操作部が操作されたことに基づいて遊技機を所定の異常状態から正常状態に復帰させる制御を実行することを特徴とする遊技機。
【００２９】
手段１０によれば、遊技機を所定の異常状態から正常状態に復帰させる場合に操作される操作部を制御基板に直接搭載したため、制御基板と操作部とを電気的に接続するケーブル等をショートさせて遊技機を正常状態に復帰させる不正を防止することが可能となる。
【００３０】
以下、遊技機の一種である回胴式遊技機、具体的にはスロットマシンに適用した場合の一実施の形態を、図面に基づいて詳細に説明する。図１はスロットマシン１０の正面図、図２はスロットマシン１０の前面扉１２を閉じた状態の斜視図、図３はスロットマシン１０の前面扉１２を開いた状態の斜視図、図４は前面扉１２の背面図、図５は筐体１１の正面図である。
【００３１】
図１〜図５に示すように、スロットマシン１０は、その外殻を形成する筐体１１を備えている。筐体１１は、天板１１ａ，底板１１ｂ，背板１１ｃ，左側板１１ｄ及び右側板１１ｅからなり、全体として前面を開放した箱状に形成されている。
【００３２】
筐体１１の前面側には、前面扉１２が開閉可能に取り付けられている。すなわち、筐体１１には、その正面から見て左側部に上下一対の支軸１３ａ，１３ｂが設けられており、前面扉１２には、各支軸１３ａ，１３ｂと対応する位置に軸受部１４ａ，１４ｂが設けられている。そして、各軸受部１４ａ，１４ｂに各支軸１３ａ，１３ｂが挿入された状態では、前面扉１２が筐体１１に対して両支軸１３ａ，１３ｂを結ぶ上下方向へ延びる開閉軸線を中心として回動可能に支持され、前面扉１２の回動によって筐体１１の前面開放側を開放したり閉鎖したりすることができるようになっている。また、前面扉１２は、その裏面に設けられた施錠装置２０によって開放不能な施錠状態とされる。前面扉１２の右端側上部には、施錠装置２０と一体化されたキーシリンダ２１が設けられており、キーシリンダ２１に対する所定のキー操作によって前記施錠状態が解除されるように構成されている。
【００３３】
前面扉１２の中央部上寄りには、遊技者に遊技状態を報知する遊技パネル２５が設けられている。遊技パネル２５には、縦長の３つの表示窓２６Ｌ，２６Ｍ，２６Ｒが横並びに形成されており、各表示窓２６Ｌ，２６Ｍ，２６Ｒを通じてスロットマシン１０の内部が視認可能な状態となっている。なお、各表示窓２６Ｌ，２６Ｍ，２６Ｒを１つにまとめて共通の表示窓としてもよい。
【００３４】
図３に示すように、筐体１１は仕切り板３０によりその内部が上下２分割されており、仕切り板３０の上部には、可変表示手段を構成するリールユニット３１が取り付けられている。リールユニット３１は、円筒状（円環状）にそれぞれ形成された左リール３２Ｌ，中リール３２Ｍ，右リール３２Ｒを備えている。各リール３２Ｌ，３２Ｍ，３２Ｒは、その中心軸線が当該リールの回転軸線となるように回転可能に支持されている。各リール３２Ｌ，３２Ｍ，３２Ｒの回転軸線は略水平方向に延びる同一軸線上に配設され、それぞれのリール３２Ｌ，３２Ｍ，３２Ｒが各表示窓２６Ｌ，２６Ｍ，２６Ｒと１対１で対応している。したがって、各リール３２Ｌ，３２Ｍ，３２Ｒの表面の一部はそれぞれ対応する表示窓２６Ｌ，２６Ｍ，２６Ｒを通じて視認可能な状態となっている。また、リール３２Ｌ，３２Ｍ，３２Ｒが正回転すると、各表示窓２６Ｌ，２６Ｍ，２６Ｒを通じてリール３２Ｌ，３２Ｍ，３２Ｒの表面は上から下へ向かって移動しているかのように映し出される。
【００３５】
ここで、リールユニット３１の構成を簡単に説明する。
【００３６】
各リール３２Ｌ，３２Ｍ，３２Ｒは、それぞれがステッピングモータに連結されており、各ステッピングモータの駆動により各リール３２Ｌ，３２Ｍ，３２Ｒが個別に、すなわちそれぞれ独立して回転駆動し得る構成となっている。ステッピングモータは、例えば５０４パルスの駆動信号（以下、励磁パルスとも言う。）を与えることにより１回転されるように設定されており、この励磁パルスによってステッピングモータの回転位置、すなわちリールの回転位置が制御される。また、リールユニット３１には、リールが１回転したことを検出するためのリールインデックスセンサが各リール３２Ｌ，３２Ｍ，３２Ｒに設置されている。そして、リールインデックスセンサからは、リールが１回転したことを検出した場合、その検出の都度、後述する主制御装置１０１に検出信号が出力されるようになっている。このため主制御装置１０１は、リールインデックスセンサの検出信号と、当該検出信号が入力されるまでに出力した励磁パルス数とに基づいて、各リール３２Ｌ，３２Ｍ，３２Ｒの角度位置を１回転毎に確認するとともに補正することができる。
【００３７】
各リール３２Ｌ，３２Ｍ，３２Ｒの外周面には、その長辺方向（周回方向）に、識別情報としての図柄が複数個描かれている。より具体的には、２１個の図柄が等間隔に描かれている。このため、所定の位置においてある図柄を次の図柄へ切り替えるには、２４パルス（＝５０４パルス÷２１図柄）の励磁パルスの出力を要する。また、主制御装置１０１は、リールインデックスセンサの検出信号が入力されてから出力した励磁パルス数により、表示窓２６Ｌ，２６Ｍ，２６Ｒから視認可能な状態となっている図柄を把握したり、表示窓２６Ｌ，２６Ｍ，２６Ｒから視認可能な位置に所定の図柄を停止させたりする制御を行うことができる。
【００３８】
各表示窓２６Ｌ，２６Ｍ，２６Ｒは、対応するリールに付された２１個の図柄のうち図柄全体を視認可能となる図柄が３個となるように形成されている。このため、各リール３２Ｌ，３２Ｍ，３２Ｒがすべて停止している状態では、３×３＝９個の図柄が表示窓２６Ｌ，２６Ｍ，２６Ｒを介して視認可能な状態となる。本スロットマシン１０では、これら９個の図柄が視認可能となる各位置を結ぶようにして、横方向へ平行に３本、斜め方向へたすき掛けに２本、計５本の組合せラインが設定されている。そして、有効化された組合せライン、すなわち有効ライン上に図柄が所定の組合せで停止した場合には、入賞成立として、遊技媒体たるメダルが所定数払い出される特典が付与されたり、ビッグボーナス（以下、「ＢＢ」とも言う）状態等に遊技状態が移行される特典が付与されたりするようになっている。
【００３９】
遊技パネル２５の下方左側には、各リール３２Ｌ，３２Ｍ，３２Ｒの回転を開始させるために操作されるスタートレバー４１が設けられている。スタートレバー４１はリール３２Ｌ，３２Ｍ，３２Ｒを回転開始、すなわち図柄の可変表示を開始させるべく操作される開始操作手段又は始動操作手段を構成する。所定数のメダルが投入されている状態でスタートレバー４１を操作された場合、各リール３２Ｌ，３２Ｍ，３２Ｒが回転を開始するようになっている。
【００４０】
スタートレバー４１の右側には、回転している各リール３２Ｌ，３２Ｍ，３２Ｒを個別に停止させるために操作されるボタン状のストップスイッチ４２〜４４が設けられている。各ストップスイッチ４２〜４４は、停止対象となるリール３２Ｌ，３２Ｍ，３２Ｒに対応する表示窓２６Ｌ，２６Ｍ，２６Ｒの直下にそれぞれ配置されている。すなわち、左ストップスイッチ４２が操作された場合には左リール３２Ｌの回転が停止し、中ストップスイッチ４３が操作された場合には中リール３２Ｍの回転が停止し、右ストップスイッチ４４が操作された場合には右リール３２Ｒの回転が停止する。ストップスイッチ４２〜４４はリール３２Ｌ，３２Ｍ，３２Ｒの回転に基づく図柄の可変表示を停止させるべく操作される停止操作手段を構成する。
【００４１】
表示窓２６Ｌ，２６Ｍ，２６Ｒの下方右側には、メダルを投入するためのメダル投入口４５が設けられている。メダル投入口４５は遊技媒体を入力する入力手段を構成する。また、メダル投入口４５が遊技者によりメダルを直接投入するという動作を伴う点に着目すれば、遊技媒体を直接入力する直接入力手段を構成するものとも言える。
【００４２】
メダル投入口４５から投入されたメダルは、前面扉１２の背面に設けられた通路切替手段としてのセレクタ４６によって貯留用通路４７か排出用通路４８のいずれかへ導かれる。より詳しくは、セレクタ４６にはメダル通路切替ソレノイド４６ａが設けられており、そのメダル通路切替ソレノイド４６ａの非励磁時にはメダルが排出用通路４８側に導かれ、前記メダル通路切替ソレノイド４６ａの励磁時にはメダルが貯留用通路４７側に導かれるようになっている。貯留用通路４７に導かれたメダルは、筐体１１の内部に収納されたホッパ装置５１へと導かれる。一方、排出用通路４８に導かれたメダルは、前面扉１２の前面下部に設けられたメダル排出口４９からメダル受け皿５０へと導かれ、遊技者に返還される。
【００４３】
ホッパ装置５１は、メダルを貯留する貯留タンク５２と、メダルを遊技者に払い出す払出装置５３とより構成されている。払出装置５３は、図示しないメダル払出用回転板を回転させることにより、排出用通路４８に設けられた開口４８ａへメダルを排出し、排出用通路４８を介してメダル受け皿５０へメダルを払い出すようになっている。また、ホッパ装置５１の右方には、貯留タンク５２内に所定量以上のメダルが貯留されることを回避するための予備タンク５４が設けられている。ホッパ装置５１の貯留タンク５２内部には、この貯留タンク５２から予備タンク５４へとメダルを排出する誘導プレート５２ａが設けられている。したがって、誘導プレート５２ａが設けられた高さ以上にメダルが貯留された場合、かかるメダルが予備タンク５４に貯留されることとなる。
【００４４】
メダル投入口４５の下方には、ボタン状の返却スイッチ５５が設けられている。メダル投入口４５に投入されたメダルがセレクタ４６内に詰まった状況下で返却スイッチ５５を操作された場合、セレクタ４６が機械的に連動して動作され、当該セレクタ４６内に詰まったメダルがメダル排出口４９から返却されるようになっている。
【００４５】
表示窓２６Ｌ，２６Ｍ，２６Ｒの下方左側には、遊技媒体としてのクレジットされた仮想メダルを一度に３枚投入するための第１クレジット投入スイッチ５６が設けられている。また、第１クレジット投入スイッチ５６の左方には、第２クレジット投入スイッチ５７と、第３クレジット投入スイッチ５８とが設けられている。第２クレジット投入スイッチ５７は仮想メダルを一度に２枚投入するためのものであり、第３クレジット投入スイッチ５８は仮想メダルを１枚投入するためのものである。各クレジット投入スイッチ５６〜５８は前記メダル投入口４５とともに遊技媒体を入力する入力手段を構成する。また、メダル投入口４５が遊技者によりメダルを直接投入するという動作を伴うのに対し、各クレジット投入スイッチ５６〜５８は貯留記憶に基づく仮想メダルの投入という動作を伴うに過ぎない点に着目すれば、遊技媒体を間接入力する間接入力手段を構成するものとも言える。
【００４６】
スタートレバー４１の左方には、精算スイッチ５９が設けられている。すなわち、本スロットマシン１０では、所定の最大値（メダル５０枚分）となるまでの余剰の投入メダルや入賞時の払出メダルを仮想メダルとして貯留記憶するクレジット機能を有しており、仮想メダルが貯留記憶されている状況下で精算スイッチ５９を操作された場合、仮想メダルが現実のメダルとしてメダル排出口４９から払い出されるようになっている。この場合、クレジットされた仮想メダルを現実のメダルとして払い出すという機能に着目すれば、精算スイッチ５９は貯留記憶された遊技媒体を実際に払い出すための精算操作手段を構成するものとも言える。
【００４７】
遊技パネル２５の表示窓２６Ｌ，２６Ｍ，２６Ｒ下方には、クレジットされている仮想メダル数を表示するクレジット表示部６０と、ＢＢ状態が終了するまでに払い出される残りのメダル数を表示する残払出枚数表示部６１と、入賞成立時に払い出したメダルの枚数を表示する払出枚数表示部６２とがそれぞれ設けられている。これら表示部６０〜６２は７セグメント表示器によって構成されているが、液晶表示器等によって代替することは当然可能である。
【００４８】
前面扉１２の上部には、遊技の進行に伴い点灯したり点滅したりする上部ランプ６３と、遊技の進行に伴い種々の効果音を鳴らしたり、遊技者に遊技状態を報知したりする左右一対のスピーカ６４と、遊技者に各種情報を与える補助表示部６５とが設けられている。補助表示部１５の背面には、上部ランプ６３やスピーカ６４、補助表示部６５を駆動させるための表示制御装置８１が設けられている。
【００４９】
筐体１１の内部においてホッパ装置５１の左方には、電源ボックス７０が設けられている。電源ボックス７０は、その内部に電源装置９１を収容するとともに、電源スイッチ７１を備えている。電源スイッチ７１は、主制御装置１０１を始めとする各部に電源を供給するための起動スイッチである。
【００５０】
リールユニット３１の上方には、主制御装置ユニット１００が取り付けられている。主制御装置ユニット１００は、遊技を統括管理する主制御装置１０１と、主制御装置１０１を搭載する台座装置１５１とを備えている。台座装置１５１は、筐体１１の背板１１ｃに取付固定されており、当該台座装置１５１の前面側に主制御装置１０１が搭載されている。つまり、主制御装置１０１は、筐体１１内部において上部奥側に配置されている。
【００５１】
ここで、主制御装置１０１の構成を、図６〜図１０に基づいて説明する。図６は主制御装置１０１の正面図、図７は主制御装置１０１の斜視図、図８は第１蓋部材１３２及び第２蓋部材１４２を開放した状態を示す要部拡大図、図９は主制御装置１０１のＡ−Ａ線断面図、図１０はリセットスイッチ１０４の変位状況を示す要部断面図である。なお、以下では、主制御装置１０１がスロットマシン１０に取り付けられた状態（図５参照）を基準として、上下左右等の方向を特定することとする。
【００５２】
主制御装置１０１は、制御基板としての主基板１０２が基板ボックス１１０に収容されて構成されている。
【００５３】
主基板１０２は横長矩形状のプリント基板であって、その表面には、ＣＰＵやＲＯＭ等を備えたＩＣチップの他に、被コネクタ受け部としてのソケット１０３等が搭載されている。ソケット１０３には、リールユニット３１等の他の装置と接続されたケーブルコネクタ（図示略）や、スタートレバー４１の操作を検出するスタート検出センサ、ストップスイッチ４２〜４４の操作を個別に検出するストップ検出センサ等の各種センサが接続されるようになっており、主基板１０２は、これらセンサからの入力結果に基づいて各リール３２Ｌ，３２Ｍ，３２Ｒの回転及び停止やメダルの払出等の制御を実行する。
【００５４】
主基板１０２の前面側右部には、図８及び図９に示すように、リセットスイッチ１０４と設定キースイッチ１０５が直付け実装されている。リセットスイッチ１０４は、主基板１０２にカシメ固定されるベース部１０４ａと、該ベース部１０４ａの先端部に直立形成された円筒状の胴部１０４ｂと、胴部１０４ｂの先端側に設けられるとともに胴部１０４ｂより大きな外径を有する円筒状の操作部１０４ｃとを有しており、スロットマシン１０をエラー状態から復帰させる場合や、スロットマシン１０の設定値（役の当選確率）を変更する場合に押し操作されるスイッチである。リセットスイッチ１０４は、押し操作されていない場合、図１０（ａ）に示すように操作部１０４ｃ後端が後述する底板部１３３前面より後方に位置するとともに操作部１０４ｃ先端が底板部１３３前面より前方に位置するようになっている。また、当該リセットスイッチ１０４は、押し操作された場合、図１０（ｂ）に示すように操作部１０４ｃと胴部１０４ｂが一体的にベース部１０４ａ側（すなわち後方）に移動し、操作部１０４ｃ先端が底板部１３３前面より後方に位置するようになっている。設定キースイッチ１０５は、主基板１０２にカシメ固定されるベース部１０５ａと、設定キーが挿入されるキーシリンダ部１０５ｂとを有しており、設定値を変更する場合や設定値を確認する場合に操作されるスイッチである。キーシリンダ部１０５ｂの先端面には設定キー挿入孔１０５ｃが設けられており、ホール管理者等が設定キーを挿入してＯＮ側に回動操作（ＯＮ操作）することにより、スロットマシン１０の設定値を変更したりそのときの設定値を確認したりすることができるようになっている。主基板１０２の前面側右下部には、設定キースイッチ１０５がＯＮ操作された場合に設定値を表示する設定表示部１０６が直付け実装されている。なお、本実施の形態では、設定表示部１０６として７セグメント表示器を用いているが、液晶表示器等によって代替することは当然可能である。このように、主基板１０２の一側部には、設定値の変更に関わるリセットスイッチ１０４，設定キースイッチ１０５及び設定表示部１０６が集約配置されている。さらにいうと、前面扉１２は筐体１１の左側部の開閉軸線を中心として回動可能に支持されており、リセットスイッチ１０４，設定キースイッチ１０５及び設定表示部１０６は、主基板１０２の右部すなわち前面扉１２の開放端側に設けられているため、ホール管理者等が設定値の変更等を容易に行うことができる。
【００５５】
基板ボックス１１０は、主基板１０２を前面側から覆うボックスカバー１１１と、主基板１０２を後面側から覆うボックスケース１１２とを備えている。
【００５６】
ボックスカバー１１１は、透明な合成樹脂材料によって形成されており、主基板１０２のＩＣチップ等を収容するための収容部１１３を有している。収容部１１３は、ボックスケース１１２側に開放された横長矩形の箱状に形成されており、その右側下部には、ボックスケース１１２側に凹む第１凹部１１４と第２凹部１１５が階段状に形成されている。第２凹部１１５には、主制御装置１０１を台座装置１５１に固定するためのネジ孔１１５ａが形成されている。両凹部１１４，１１５の上方には、リセットスイッチ収容部１３１と設定キースイッチ収容部１４１が、上下に隣接して形成されている。リセットスイッチ収容部１３１には、透明な合成樹脂材料によって形成された第１蓋部材１３２が回動可能に軸支されており、設定キースイッチ収容部１４１には、透明な合成樹脂材料によって形成された第２蓋部材１４２が回動可能に軸支されている。収容部１１３の開放端側の周縁部には、収容部１１３から外方に向かって延びる延出部１１６が形成されている。延出部１１６には、主基板１０２のソケット１０３と対応する位置に、当該ソケット１０３を挿通するための挿通孔１１７が形成されている。本スロットマシン１０では、ボックスカバー１１１，第１蓋部材１３２及び第２蓋部材１４２は透明な合成樹脂材料によって形成されているため、主基板１０２に搭載されたリセットスイッチ１０４，設定キースイッチ１０５及び設定表示部１０６等がボックスカバー１１１を介して視認できるようになっている。
【００５７】
ボックスケース１１２は、透明な合成樹脂材料によってボックスカバー１１１側に開放された横長矩形の箱状に形成されている。
【００５８】
ボックスカバー１１１及びボックスケース１１２の上部には、前後に貫通する横長矩形の第１開口孔部１１８及び第２開口孔部１１９が左右に並ぶように形成されている。第１開口孔部１１８の中央左部及び第２開口孔部１１９の中央右部には、基板ボックス１１０を封印するための第１封印部材１２０が、ボックスカバー１１１とボックスケース１１２のそれぞれに設けられている。封印について簡単に説明すると、ボックスカバー１１１及びボックスケース１１２の第１封印部材１２０に封印ピンが挿入された場合、ボックスベース１１１とボックスカバー１１２とが開放不能に結合されるようになっている。そして、主基板１０２を基板ボックス１１０から取り出す場合には、封印ピンの挿入された第１封印部材１２０をボックスカバー１１１及びボックスケース１１２から切断することにより、ボックスベース１１１とボックスカバー１１２の結合状態を解除する。つまり、主基板１０２を基板ボックス１１０から取り出した場合には、第１封印部材１２０の切断された痕跡がボックスベース１１１及びボックスカバー１１２に残ることとなる。故に、基板ボックス１１０の開放を行った旨の履歴をホール側で残しておけば、基板ボックス１１０を確認することで不正な開放が行われた旨を容易に発見することができる。ボックスケース１１２の第１開口孔部１１８及び第２開口孔部１１９には、主制御装置１０１を台座装置１５１に封印するための第２封印部材１２１が、それぞれ２つずつ設けられている。
【００５９】
ここで、ボックスカバー１１１に設けられたリセットスイッチ収容部１３１，設定キースイッチ収容部１４１及び両蓋部材１３２，１４２の構成についてより詳細に説明する。
【００６０】
リセットスイッチ収容部１３１は、主基板１０２と平行に延びる底板部１３３を有し、該底板部１３３のリセットスイッチ１０４と対応する位置には、リセットスイッチ１０４の操作部１０４ｃより若干大きな外径を有する開口孔１３３ａが形成されている。そして、図１０（ａ）に示すように、主基板１０２が基板ボックス１１０に収容された状態では、操作部１０４ｃが底板部１３３より前方に突出する、より詳しくは、操作部１０４ｃ後端が底板部１３３前面より後方に位置するとともに操作部１０４ｃ先端が底板部１３３前面より前方に位置するようになっている。開口孔１３３ａの外周縁部には、リセットスイッチ１０４の周囲を覆うようにして、円筒状の被覆壁部１３４が一体形成されている。被覆壁部１３４は、底板部１３３から前方に突出する第１被覆壁部１３４ａと、底板部１３３から後方に突出する第２被覆壁部１３４ｂとより構成されている。第１被覆壁部１３４ａは、図１０（ａ）に示すように、底板部１３３前面からリセットスイッチ１０４が押し操作されていない状況（以下、当該状況にあるリセットスイッチ１０４を初期位置にあると言う）における操作部１０４ｃ先端までの距離より短い前後寸法を有し、前記状況において第１被覆壁部１３４ａ先端が操作部１０４ｃ先端より若干後方位置に位置するようになっている。また、第２被覆壁部１３４ｂは、図１０（ｂ）に示すように、底板部１３３後面からリセットスイッチ１０４が押し操作された状況（以下、当該状況にあるリセットスイッチ１０４を操作後位置にあると言う）における操作部１０４ｃ先端までの距離より長い前後寸法を有している。つまり、被覆壁部１３４は、操作部１０４ｃの変位状況に関わらず当該操作部１０４ｃの少なくとも一部が被覆壁部１３４の内側に位置するように形成されている。
【００６１】
また、リセットスイッチ収容部１３１は、底板部１３３の周縁部から前方に直立形成された矩形枠状の壁部１３５を有している。壁部１３５は、その先端がリセットスイッチ１０４の操作部１０４ｃ先端より前方位置となる前後寸法を有している。壁部１３５のうち上側壁部及び下側壁部には、リセットスイッチ１０４側すなわちリセットスイッチ収容部１３１の内側に、複数の補強リブ１３６が形成されている。補強リブ１３６は、底板部１３３から対応する壁部に沿って形成されており、前記壁部より若干短い前後寸法を有している。より詳しくは、補強リブ１３６の前後寸法は、対応する壁部の前後寸法から第１蓋部材１３２の厚さ寸法を減じたものとなっている。壁部１３５のうち右側壁部には、中央部に凹部が形成されており、当該凹部を挟むようにして上下一対の軸受部１３７ａ，１３７ｂが形成されている。また、被覆壁部１３４の右方には、前記凹部と対応する位置に、針金等を凹部からリセットスイッチ収容部１３１内に挿入されることを防止するための遮蔽壁部１３８が形成されている。壁部１３５のうち左側壁部は、周囲の壁部と比して前後寸法が短く形成されている。具体的には、左側壁部の前後寸法は、周囲の壁部の前後寸法から第１蓋部材１３２の厚さ寸法を減じたもの、すなわち補強リブ１３６の前後寸法と等しいものとなっている。
【００６２】
リセットスイッチ収容部１３１の前面側には、第１蓋部材１３２が回動可能に取り付けられている。第１蓋部材１３２は、透明な合成樹脂材料によって形成されており、横長矩形の平板状に形成された本体部１３２ａと、本体部１３２ａの一側部に形成された上下一対の支軸１３２ｂ，１３２ｃとを有している。そして、各軸受部１３７ａ，１３７ｂに各支軸１３２ｂ，１３２ｃが挿入された状態では、第１蓋部材１３２がリセットスイッチ収容部１３１に対して両支軸１３２ｂ，１３２ｃを結ぶ上下方向へ延びる開閉軸線を中心として左右方向に回動可能に支持され、第１蓋部材１３２の回動によってリセットスイッチ収容部１３１の前面開放側を開放したり閉鎖したりすることができるようになっている。かかる構成においては、第１蓋部材１３２が図６に示す閉鎖位置にある場合に、第１蓋部材１３２によってリセットスイッチ１０４の前面側が覆われ、第１蓋部材１３２が図８に示す開放位置にある場合に、リセットスイッチ１０４が露出することとなる。また、第１蓋部材１３２が閉鎖位置にある場合には、第１蓋部材１３２の本体部１３２ａ後面がリセットスイッチ収容部１３１の補強リブ１３６先端面及び左側壁部の先端面と当接し、本体部１３２ａの前面と上側壁部及び下側壁部の先端面とが同一平面に位置するようになっている。第１蓋部材１３２の本体部１３２ａ後面には、支軸１３２ｂ，１３２ｃ側に開口するコ字状の遮蔽リブ１３２ｄが形成されている。遮蔽リブ１３２ｄは、第１蓋部材１３２が閉鎖位置にある場合に、リセットスイッチ収容部１３１の補強リブ１３６より内側であって、上下方向における補強リブ１３６のリセットスイッチ１０４と対向する側面と当接する位置に形成されている。また、第１蓋部材１３２の下側の支軸１３２ｃと右側壁部の下側の軸受部１３７ｂとには、第１蓋部材１３２を閉鎖位置側に付勢するコイルバネ１３９が設けられている。
【００６３】
設定キースイッチ収容部１４１は、主基板１０２と平行に延びる底板部１４３を有し、該底板部１４３の設定キースイッチ１０５と対応する位置には、設定キースイッチ１０５のキーシリンダ部１０５ｂより若干大きな外径を有する開口孔１４３ａが形成されている。そして、図９に示すように、主基板１０２が基板ボックス１１０に収容された状態では、キーシリンダ部１０５ｂが底板部１４３より前方に突出するようになっている。開口孔１４３ａの外周縁部には、底板部１４３から後方に突出する円筒状の被覆壁部１４４が形成されている。被覆壁部１４４は、その先端が設定キースイッチ１０５のベース部１０５ａ先端と近接する前後寸法を有している。このように、設定キースイッチ収容部１４１には、リセットスイッチ収容部１３１と異なり、底板部１４３から前方に突出する被覆壁部を設けていない。
【００６４】
また、設定キースイッチ収容部１４１は、底板部１４３の周縁部から前方に直立形成された矩形枠状の壁部１４５を有している。壁部１４５は、その先端が設定キースイッチ１０５の先端より前方位置となる前後寸法を有している。また、本実施の形態では、リセットスイッチ収容部１３１の下側壁部を設定キースイッチ収容部１４１の上側壁部として共通使用することにより、リセットスイッチ１０４，設定キースイッチ１０５，リセットスイッチ収容部１３１及び設定キースイッチ収容部１４１を集約配置している。壁部１４５のうち上側壁部及び下側壁部には、設定キースイッチ１０５側すなわち設定キースイッチ収容部１４１の内側に、複数の補強リブ１４６が形成されている。補強リブ１４６は、底板部１４３から対応する壁部に沿って形成されており、前記壁部より若干短い前後寸法を有している。より詳しくは、補強リブ１４６の前後寸法は、前記壁部の前後寸法から第２蓋部材１４２の厚さ寸法を減じたものとなっている。壁部１４５のうち左側壁部には、中央部に凹部が形成されており、当該凹部を挟むようにして上下一対の軸受部１４７ａ，１４７ｂが形成されている。また、設定キースイッチ１０５の左方には、前記凹部と対応する位置に、針金等を凹部から設定キースイッチ収容部１４１内に挿入されることを防止するための遮蔽壁部１４８が形成されている。壁部１４５のうち右側壁部は、周囲の壁部と比して前後寸法が短く形成されている。具体的には、右側壁部の前後寸法は、周囲の壁部の前後寸法から第２蓋部材１４２の厚さ寸法を減じたもの、すなわち補強リブ１４６の前後寸法と等しいものとなっている。
【００６５】
設定キースイッチ収容部１４１の前面側には、第２蓋部材１４２が回動可能に取り付けられている。第２蓋部材１４２は、透明な合成樹脂材料によって形成されており、横長矩形の平板状に形成された本体部１４２ａと、本体部１４２ａの一側部に形成された上下一対の支軸１４２ｂ，１４２ｃとを有している。そして、各軸受部１４７ａ，１４７ｂに各支軸１４２ｂ，１４２ｃが挿入された状態では、第２蓋部材１４２が設定キースイッチ収容部１４１に対して両支軸１４２ｂ，１４２ｃを結ぶ上下方向へ延びる開閉軸線を中心として左右方向に回動可能に支持され、第２蓋部材１４２の回動によって設定キースイッチ収容部１４１の前面開放側を開放したり閉鎖したりすることができるようになっている。かかる構成においては、第２蓋部材１４２が図６に示す閉鎖位置にある場合に、第２蓋部材１４２によって設定キースイッチ１０５の前面側が覆われ、第２蓋部材１４２が図８に示す開放位置にある場合に、設定キースイッチ１０５が露出することとなる。また、第２蓋部材１４２が閉鎖位置にある場合には、第２蓋部材１４２の本体部１４２ａ後面が設定キースイッチ収容部１４１の補強リブ１４６先端面及び右側壁部の先端面と当接し、本体部１４２ａの前面と上側壁部及び下側壁部の先端面とが同一平面に位置するようになっている。第２蓋部材１４２の本体部１４２ａ後面には、支軸１４２ｂ，１４２ｃ側に開口するコ字状の遮蔽リブ１４２ｄが形成されている。遮蔽リブ１４２ｄは、第２蓋部材１４２が閉鎖位置にある場合に、設定キースイッチ収容部１０５の補強リブ１４６より内側であって、上下方向における補強リブ１４６の設定キースイッチ１０５と対向する側面と当接する位置に形成されている。また、第２蓋部材１４２の上側の支軸１４２ｂと左側壁部の上側の軸受部１４７ａとには、第２蓋部材１４２を閉鎖位置側に付勢するコイルバネ１４９が設けられている。
【００６６】
次に、ホール管理者等が設定値を変更する際の具体的な作業について説明する。
【００６７】
設定値を変更する場合には、先ず前面扉１２を筐体１１から開放し、電源が投入されている場合には電源スイッチ７１をＯＦＦ操作して電源を遮断する。その後、第２蓋部材１４２を閉鎖位置から左向きに回動させて開放位置に移動させ、設定キースイッチ１０５を露出させる。そして、設定キーを設定キースイッチ１０５へ挿入してＯＮ操作する。かかる状態で電源スイッチ７１をＯＮ操作して電源を投入することにより、スロットマシン１０の設定値を変更できるようになるとともに、設定表示部１０６にそのときの設定値（本実施の形態では「１」）が表示される。
【００６８】
電源スイッチ７１をＯＮ操作して電源を投入した後、第１蓋部材１３２を閉鎖位置から右向きに回動させて開放位置に移動させ、リセットスイッチ１０４を露出させる。そして、リセットスイッチ１０４を押し操作することにより、ホール管理者等の望む設定値に変更する。このとき、設定表示部１０６には、リセットスイッチ１０４の操作に伴って変更された設定値が表示される。ホール管理者等の望む設定値が設定表示部１０６に表示された場合には、スタートレバー４１を操作して設定値を確定させる。その後、設定キースイッチ１０５をＯＦＦ操作した上で設定キースイッチ１０５から設定キーを抜き取り、前面扉１２を閉鎖する。なお、本スロットマシン１０には主基板１０２に搭載された設定表示部１０６を除いて設定値の表示される部位がないため、設定値の確認は上記設定表示部１０６を通じて行う必要がある。また、第１蓋部材１３２及び第２蓋部材１４２には閉鎖位置側に付勢するコイルバネ１３９，１４９が設けられているため、ホール管理者等が上記作業を終了した際には、ホール管理者等が両蓋部材１３２，１４２を閉鎖位置に移動させずとも両蓋部材１３２，１４２が閉鎖位置に移動し、リセットスイッチ１０４及び設定キースイッチ１０５の前面側が被覆される。
【００６９】
ちなみに、電源が投入されている状況下でホール管理者等が設定キーを設定キースイッチ１０５へ挿入してＯＮ操作した場合には、そのときの設定値が設定表示部１０６に表示され、設定値を確認することができる。このとき、リセットスイッチ１０４を押し操作したとしても設定値を変更することはできない。
【００７０】
ここで、上記設定変更作業が行われた場合に主制御装置１０１が実行する当選確率設定処理について、図１１のフローチャートを用いて説明する。主制御装置１０１は、停電からの復旧や電源スイッチ７１のＯＮ操作によって電源が投入された場合、設定キーが設定キースイッチ１０５に挿入されてＯＮ操作されているか否かを判定する。ＯＮ操作がなされている場合には、強制的ＲＡＭクリア処理としてＲＡＭに記憶されたデータ（設定値に関するデータも含む）を全てクリアし、その後に当選確率設定処理を行う。本スロットマシン１０には、「設定１」から「設定６」まで６段階の当選確率が予め用意されており、当選確率設定処理では、いずれの当選確率に基づいて内部処理を実行させるのかを設定する。
【００７１】
先ず、ステップＳ１０１では、次回のタイマ割込みを許可する。その後、ステップＳ１０２にて現在の設定値を読み込むとともに、ステップＳ１０３では現在の設定値を設定表示部１０６に表示する。但し、設定キーが挿入されてＯＮ操作された直後の処理では、先の強制的ＲＡＭクリア処理によりＲＡＭのデータがクリアされているため、設定表示部１０６に表示される設定値は初期値の「１」である。
【００７２】
ステップＳ１０４ではスタートレバー４１が操作されたか否かを判定し、操作されていない場合にはステップＳ１０５〜ステップＳ１０６に示す設定更新処理を行う。ステップＳ１０５では、リセットスイッチ１０４が操作されたか否かを判定する。リセットスイッチ１０４が操作されていない場合にはそのままステップＳ１０３に戻り、操作された場合にはステップＳ１０６にて設定値を１更新した後にステップＳ１０３に戻る。つまり、設定更新処理では、リセットスイッチ１０４が操作される毎に設定値が１更新され、更新された設定値が設定表示部１０６に表示される。なお、設定値が「６」のときにリセットスイッチ１０４が操作された場合、設定値は「１」に更新される。
【００７３】
ステップＳ１０４にてスタートレバー４１が操作された場合には、ステップＳ１０７にて設定キーのＯＮ操作が継続してなされているか否かを判定する。設定キーのＯＮ操作が継続してなされている場合にはそのまま待機し、ＯＮ操作が終了された場合（ＯＦＦ操作された場合）にはステップＳ１０８にて次回のタイマ割込みを禁止する。その後、ステップＳ１０９にて設定値を保存し、ステップＳ１１０にてＲＡＭに記憶された設定値以外のデータをクリアして本処理を終了する。
【００７４】
以上詳述した本実施の形態によれば、以下の優れた効果を奏する。
【００７５】
リセットスイッチ収容部１３１の前面側に第１蓋部材１３２を設けてリセットスイッチ１０４の前面側が被覆される構成とするとともに、設定キースイッチ収容部１４１の前面側に第２蓋部材１４２を設けて設定キースイッチ１０５の前面側が被覆される構成とした。かかる構成とすることにより、仮に設定値を不正に変更すべく筐体１１と前面扉１２の隙間から針金等が挿入されたとしても、両蓋部材１３２，１４２によって前記針金等をリセットスイッチ１０４や設定キースイッチ１０５に到達させることを困難なものとすることができる。
【００７６】
確かに、リセットスイッチ１０４と設定キースイッチ１０５の前面側を１の蓋部材で覆う構成とした場合であっても、針金等をリセットスイッチ１０４や設定キースイッチ１０５に到達させることを困難なものとすることができる。しかしながら、かかる構成においては、針金等によって当該蓋部材が開放位置側に引っ張られた場合、リセットスイッチ１０４と設定キースイッチ１０５が共に露出して操作可能な状態となってしまう。一方、それぞれを別の蓋部材で被覆する本実施形態においては、各蓋部材を開放位置側に引っ張る必要が生じるため、１の蓋部材で被覆する構成と比してリセットスイッチ１０４と設定キースイッチ１０５を共に露出させることを困難なものとすることができる。
【００７７】
かかる一方、このように両蓋部材１３２，１４２によってリセットスイッチ１０４及び設定キースイッチ１０５の前面側を覆う構成とした場合、ホール管理者等が設定変更を行う際の作業が煩雑化する可能性が懸念されるが、主基板１０２の一側部にリセットスイッチ１０４と設定キースイッチ１０５を集約配置するとともに、第１蓋部材１３２と第２蓋部材１４２を隣接して配置したため、前記作業の煩雑化を抑制することが可能となる。
【００７８】
第１蓋部材１３２が閉鎖位置から開放位置に移動する向きと、第２蓋部材１４２が閉鎖位置から開放位置に移動する向きとが逆向きとなるように第１蓋部材１３２と第２蓋部材１４２を取り付けた。かかる構成とすることにより、筐体１１と前面扉１２の隙間から針金等が挿入され、一方の蓋部材が開放位置側に移動するよう前記針金等により引っ張られたとしても、他方の蓋部材が開放位置に移動することを防止することができる。故に、仮に前面扉１２を開放することなく又は少し開放させて筐体１１と前面扉１２の隙間から針金等が挿入されたとしても、リセットスイッチ１０４と設定キースイッチ１０５を共に露出させることを困難なものとすることができ、設定が不正に変更されることを好適に抑制することが可能となる。また、針金等を用いて両蓋部材１３２，１４２を開放位置に移動させるためには、筐体１１と前面扉１２の隙間から針金等を複数挿入させ、これら針金等を異なる向きに引っ張る必要がある。故に、不正行為を目立たせることが可能となり、不正行為を容易に発見することが可能となる。
【００７９】
第１蓋部材１３２及び第２蓋部材１４２に閉鎖位置側に付勢するコイルバネ１３９，１４９を設けた。かかる構成においては、蓋部材１３２，１４２を開放位置側に付勢しつつリセットスイッチ１０４及び設定キースイッチ１０５を操作する必要が生じるため、不正行為者は、蓋部材１３２，１４２を開放位置でそれぞれ維持するための針金等と、リセットスイッチ１０４及び設定キースイッチ１０５を操作するための針金等とを挿入させる必要が生じる。故に、前面扉１２を筐体１１から開放することなく又は僅かに開いて設定を変更する不正を困難なものとすることが可能となる。また、筐体１１と前面扉１２の隙間からより多くの針金等を挿入させる必要が生じるため、前記不正の発見を容易なものとすることが可能となる。さらに、ホール管理者等が設定値を変更した後には両蓋部材１３２，１４２がコイルバネ１３９，１４９の付勢によって閉鎖位置に移動するため、ホール管理者等が両蓋部材１３２，１４２を閉鎖位置に移動させることを忘れた結果として設定を変更する不正が容易なものとなることを防止できる。
【００８０】
第１蓋部材１３２が閉鎖位置にある場合、第１蓋部材１３２の本体部１３２ａ前面とリセットスイッチ収容部１３１の上側壁部及び下側壁部の先端面とが同一平面に位置し、第２蓋部材１４２が閉鎖位置にある場合、第２蓋部材１４２の本体部１４２ａ前面と設定キースイッチ１４１の上側壁部及び下側壁部の先端面とが同一平面に位置する構成とした。このように、蓋部材１３２，１４２の前面が対応する収容部１３１，１４１の先端面と同一平面に位置する構成とすることにより、例えば１の針金等をリセットスイッチ収容部１３１の上方から第１蓋部材１３２とリセットスイッチ収容部１３１の隙間に挿入させるとともに、当該針金等をさらに第２蓋部材１４２と設定キースイッチ収容部１４１の隙間に挿入させ、両蓋部材１３２，１４２を開放位置側に移動させる不正を抑制することが可能となる。また、両蓋部材１３２，１４２の後面に遮蔽リブ１３２ｄ，１４２ｄを設けたため、１の針金等を第１蓋部材１３２とリセットスイッチ収容部１３１の隙間及び第２蓋部材１４２と設定キースイッチ収容部１４１の隙間に挿入させることをより困難なものとすることができる。
【００８１】
リセットスイッチ１０４及び設定キースイッチ１０５を主基板１０２に直接搭載したため、主基板１０２とリセットスイッチ１０４を電気的に接続するケーブル等や主基板１０２と設定キースイッチ１０５を電気的に接続するケーブル等が不要となる。この結果、リセットスイッチ１０４や設定キースイッチ１０５を操作するのではなく前記ケーブル等をショートさせて設定を変更する不正を防止することが可能となる。
【００８２】
設定値を表示する設定表示部１０６を主基板１０２にのみ設けたため、前面扉１２を開放しなければ設定値を確認することができない構成とすることができ、前面扉１２を筐体１１から開放することなく設定を変更する不正を困難なものとすることが可能となる。ホール管理者等は、前面扉１２を筐体１１から開放した上で設定変更操作を行うため、設定表示部１０６に表示される設定値を確認しながらホール管理者等の望む設定値に変更することができる一方、針金等を用いて設定を変更する不正行為者は、設定値を確認することができないため、不正行為者の望む設定値に変更することができないからである。また、設定表示部１０６を主基板１０２に直接搭載する構成としたため、設定表示部と主基板１０２とを電気的に接続するケーブル等が不要となる。この結果、設定表示部と主基板１０２との間に不正基板等を電気的に接続し、実際の設定値と異なる設定値を設定表示部に表示させることでホール管理者等にスロットマシン１０の出率を誤認識させる不正を防止することが可能となる。さらにいうと、上記各不正すなわち遊技者側の不正のみならず、例えばホール管理者等が遊技者に対して行う不正すなわちホール側の不正をも抑制することが可能となる。例えば、前面扉１２の後面側に設定表示部を設ける構成としても、針金等を用いて設定が変更される不正を困難なものとすることが可能である。しかしながら、例えばホール管理者等が設定表示部と主基板１０２との間に不正基板等を設け、スロットマシン１０の実際の設定値と異なる設定値を設定表示部に表示可能な構成とした場合、遊技者等は、設定表示部に表示される設定値を通じてスロットマシン１０の設定値を誤認識し、遊技者等の想定する出率より低い出率での遊技を強いられる可能性がある。一方、主基板１０２に設定表示部１０６を直接搭載した構成においては、基板ボックス１１０が封印されているためにホール管理者等であっても上記不正を行うことができず、遊技者等が不利益を被る不具合を回避することができる。
【００８３】
設定表示部１０６を、リセットスイッチ１０４及び設定キースイッチ１０５の近傍に配置したため、ホール管理者等は視線をそれほど移動させることなく設定変更操作を行うことができる。故に、設定変更操作を容易なものとすることが可能となる。また、設定表示部１０６，リセットスイッチ１０４及び設定キースイッチ１０５を主基板１０２の一側部に集約配置したため、設定変更に関わる上記各部材を主基板１０２に直接搭載したとしても、ＣＰＵ等の電子部品の配置に関する設計自由度が低下することを抑制することが可能となる。さらにいうと、前面扉１２は筐体１１の左側部の開閉軸線を中心として回動可能に支持されており、リセットスイッチ１０４，設定キースイッチ１０５及び設定表示部１０６は、主基板１０２の右部すなわち前面扉１２の開放端側に設けられているため、ホール管理者等が設定値の変更等を容易に行うことができる。
【００８４】
主制御装置１０１を筐体１１内部において上部奥側に配置したため、筐体１１の前端部すなわち筐体１１と前面扉１２の隙間からリセットスイッチ１０４及び設定キースイッチ１０５までの距離を長くすることが可能となり、針金等を用いてリセットスイッチ１０４及び設定キースイッチ１０５を操作することを困難なものとすることが可能となる。
【００８５】
リセットスイッチ収容部１３１及び設定キースイッチ収容部１４１には、開口孔１３３ａ，１４３ａの外周縁部に、底板部１３３，１４３から後方に突出する第２被覆壁部１３４ｂ及び被覆壁部１４４を設けた。かかる構成とすることにより、ボックスカバー１１１の不良率が上昇する等の不具合が発生することを抑制しつつ、開口孔１３３ａ，１４３ａから主基板１０２上に搭載されたＩＣチップ等に不正が行われることを抑制することが可能となる。
【００８６】
確かに、ボックスカバー１１１に主基板１０２に通じる開口孔１３３ａ，１４３ａを設ける構成において、開口孔１３３ａ，１４３ａの直径をリセットスイッチ１０４の操作部１０４ｃ外径又は設定キースイッチ１０５のキーシリンダ部１０５ｂ外径と等しくすれば、開口孔１３３ａと操作部１０４ｃの隙間及び開口孔１４３ａとキーシリンダ部１０５ｂの隙間をほぼ無くすことができ、上記不正行為を抑制することが可能となる。しかしながら、かかる構成においては、成形ばらつきによって操作部１０４ｃ外径より開口孔１３３ａの直径が小さくなったりキーシリンダ部１０５ｂ外径より開口孔１４３ａの直径が小さくなったりし、ボックスカバー１１１の不良率が増加する可能性が懸念される。また、リセットスイッチ１０４が押し操作された際に操作部１０４ｃと開口孔１３３ａが擦れて磨耗したり破損したりする可能性も懸念される。一方、第２被覆壁部１３４ｂ及び被覆壁部１４４を設けた構成においては、例えば開口孔１３３ａと操作部１０４ｃの隙間から針金等を挿入されたとしても、第２被覆壁部１３４ｂによって針金等を主基板１０２中央側に移動させることを規制でき、主基板１０２に対する不正を困難なものとすることができる。また、設定キースイッチ１０５側の開口孔１４３ａにおいては、開口孔１４３ａとキーシリンダ部１０５ｂの隙間から針金等を挿入されたとしても、被覆壁部１４４によって針金等を主基板１０２中央側に移動させることを規制しつつ設定キースイッチ１０５のベース部１０５ａによって主基板１０２側へのさらなる移動を規制することができ、主基板１０２に対する不正を困難なものとすることができる。このように、第２被覆壁部１３４ｂ及び被覆壁部１４４を設けることにより、主基板１０２に対する不正を困難なものとしつつ、開口孔１３３ａ，１４３ａの寸法精度に余裕を持たせることが可能となり、ボックスカバー１１１の不良率が上昇する等の不具合が発生することを抑制することが可能となる。
【００８７】
これに加えて、リセットスイッチ収容部１３１には、開口孔１３３ａの外周縁部に、底板部１３３から前方に突出する第１被覆壁部１３４ａを設けたため、主基板１０２に対する不正をより困難なものとすることが可能となる。被覆壁部１３４の先端面から主基板１０２までの距離（すなわち針金等が挿入される位置から主基板１０２までの距離）を長くすることができるとともに、被覆壁部１３４の前後方向の長さが長くなることに伴って針金等を主基板１０２中央側に傾けることを困難なものとすることができるからである。また、第１被覆壁部１３４ａを設けることにより、被覆壁部１３４の先端面から操作部１０４ｃ後端までの距離を長くすることができ、被覆壁部１３４とリセットスイッチ１０４の隙間が大きくなる胴部１０４ｂまで針金等を挿入させ、当該隙間を利用して主基板１０２中央側に針金等を到達させることを困難なものとすることができる。さらにいうと、本実施形態のようにリセットスイッチ１０４が操作後位置にある場合に操作部１０４ｃ先端が底板部１３３前面より後方に位置する構成においては、第１被覆壁部１３４ａを設けなかった場合、リセットスイッチ１０４を押し操作して操作部１０４ｃを底板部１３３前面より後方に移動させ、開口孔１３３ａ周辺のスペースを広く確保した上で針金等をＩＣチップに到達させるべく前記針金等を挿入する不正行為が懸念される。一方、第１被覆壁部１３４ａを設けた構成においては、リセットスイッチ１０４を操作後位置に移動されたとしても第１被覆壁部１３４ａにより開口孔１３３ａ周辺にスペースが確保されることを抑制でき、上記懸念を解消することができる。
【００８８】
第１被覆壁部１３４ａを、リセットスイッチ１０４が初期位置にある場合に、第１被覆壁部１３４ａ先端がリセットスイッチ１０４の操作部１０４ｃ先端より若干後方位置となる前後寸法を有する構成としたため、操作部１０４ｃが胴部１０４ｂ又はベース部１０４ａから取り外されることを困難なものとすることができ、操作部１０４ｃを胴部１０４ｂ又はベース部１０４ａから取り外した上で胴部１０４ｂ又はベース部１０４ａと第１被覆壁部１３４ａの隙間から針金等を挿入させる不正を抑制することが可能となる。また、リセットスイッチ１０４の操作性を確保することが可能となる。仮に第１被覆壁部１３４ａがリセットスイッチ１０４の操作部１０４ｃ先端より前方位置となる前後寸法を有する構成とした場合、ホール管理者等の指が第１被覆壁部１３４ａに干渉して操作部１０４ｃを押し操作できない可能性が生じ得るからである。
【００８９】
第２被覆壁部１３４ｂを、リセットスイッチ１０４が操作後位置にある場合に操作部１０４ｃ先端より第２被覆壁部１３４ｂ後端が後方位置となる前後寸法を有する構成とした。かかる構成とすることにより、操作部１０４ｃの変位状況に関わらず当該操作部１０４ｃの少なくとも一部を被覆壁部１３４内側に位置させることができる。故に、第２被覆壁部１３４ｂの後端より後方まで操作部１０４ｃを押し込んで隙間を大きく生じさせ、当該隙間から針金等を挿入させる不正を防止することができる。
【００９０】
なお、上述した実施の形態の記載内容に限定されず、例えば次のように実施してもよい。
【００９１】
（１）上記実施の形態では、リセットスイッチ収容部１３１の開口孔１３３ａの外周縁部に、底板部１３３から後方に突出する第２被覆壁部１３４ｂを設けたが、設けなくても良い。すなわち、底板部１３３から前方に突出する第１被覆壁部１３４ａのみを設ける構成とする。かかる構成とした場合であっても、主基板１０２に対する不正を困難なものとしつつ、開口孔１３３ａの寸法精度に余裕を持たせることが可能となり、ボックスカバー１１１の不良率が上昇する等の不具合が発生することを抑制することが可能となる。但し、かかる構成とした場合には、リセットスイッチ１０４が操作後位置にある場合に、操作部１０４ｃ先端が底板部１３３より前方（すなわち第１被覆壁部１３４ａ基端より前方）に位置する構成とすることが望ましい。
【００９２】
（２）上記実施の形態では、第１被覆壁部１３４ａを、リセットスイッチ１０４が初期位置にある場合に、第１被覆壁部１３４ａ先端がリセットスイッチ１０４の操作部１０４ｃ先端より若干後方位置となる前後寸法を有する構成としたが、第１被覆壁部１３４ａ先端がリセットスイッチ１０４の操作部１０４ｃ先端より前方位置となる前後寸法を有する構成としても良い。
【００９３】
（３）上記実施の形態では、第２被覆壁部１３４ｂを円筒状にすなわち開口孔１３３ａ全周にわたって形成する構成としたが、ＩＣチップが搭載されている側にのみ形成する構成としても良い。かかる構成とした場合であっても、針金等をＩＣチップに到達させることを第２被覆壁部により規制することが可能となり、主基板１０２に対してなされる不正を抑制することが可能となる。
【００９４】
（４）上記実施の形態では、被覆壁部１３４がボックスカバー１１１と一体形成される構成としたが、開口孔１３３ａの外周縁部に被覆壁部を取付固定する構成としても良い。かかる構成とした場合であっても、上記実施の形態と同様の作用効果を奏することができる。但し、かかる構成とした場合には、被覆壁部を取り外し不可能に固定したり、取り外された場合にその痕跡が残るように固定したりすることが望ましい。
【００９５】
（５）上記実施の形態では、第１蓋部材と第２蓋部材が共に回動可能に軸支されている構成について説明したが、かかる構成に限定されるものではなく、スライド移動可能に支持されている構成としても良い。
【００９６】
（６）上記実施の形態では、リセットスイッチ１０４の前方を覆う第１蓋部材１３２を設けたが、設けなくても良い。
【００９７】
（７）上記実施の形態では、主基板１０２の前面側右部にリセットスイッチ１０４を設ける構成としたが、前面側左部に設ける構成としても良いし、前面中央部に設ける構成としても良く、配置する位置は任意である。但し、開口孔から針金等を挿入される可能性を考慮した場合、リセットスイッチ１０４は主基板１０２の前面側の一側部に設けることが望ましい。
【００９８】
（８）上記実施の形態では、リセットスイッチ１０４が操作される毎に設定値が１ずつ更新される構成としたが、かかる構成に限定されるものではなく、設定値がランダムに更新される構成としても良いし、所定時間経過毎に設定値が自動更新され、ホール管理者等の望む設定値が表示された際にリセットスイッチ１０４を操作することで設定値が確定される構成としても良い。
【００９９】
（９）上記実施の形態では、設定キースイッチ収容部１４１に底板部１４３から前方に突出する被覆壁部を設けない構成としたが、設けても良いことは言うまでもない。
【０１００】
（１０）上記実施の形態では、設定値を変更する場合とエラー状態から復帰させる場合に操作されるリセットスイッチ１０４を主基板１０２に直接搭載した構成について説明したが、設定値を変更する場合にのみ操作されるスイッチを主基板１０２に直接搭載した構成において被覆壁部を設ける構成としても良いし、エラー状態から復帰させる場合にのみ操作されるスイッチを主基板１０２に直接搭載した構成において被覆壁部を設ける構成としても良い。
【０１０１】
（１１）上記実施の形態では、主基板１０２にリセットスイッチ１０４を直接搭載して被覆壁部１３４を設ける構成について説明したが、表示制御装置８１に例えば表示演出を変更する場合に押し操作される操作部を直接搭載して被覆壁部を設ける構成としても良い。かかる構成とした場合であっても、上記実施の形態と同様の作用効果を奏することができる。
【０１０２】
（１２）上記実施の形態では、設定キースイッチ１０５をＯＮ操作している状態で電源を投入した場合、強制的ＲＡＭクリア処理を行って設定値を「１」とする構成としたが、強制的ＲＡＭクリア処理を行わない構成としても良いし、強制的ＲＡＭクリア処理にて設定値以外のデータをクリアする構成としても良い。
【０１０３】
（１３）上記実施の形態では、スロットマシン１０について具体化した例を示したが、押し操作された場合に内部状態が変更される操作部が直接搭載された制御装置を有するパチンコ機に適用しても良いし、スロットマシンとパチンコ機とを融合した形式の遊技機に適用しても良い。
【図面の簡単な説明】
【０１０４】
【図１】一実施の形態におけるスロットマシンの正面図。
【図２】前面扉を閉じた状態を示すスロットマシンの斜視図。
【図３】前面扉を開いた状態を示すスロットマシンの斜視図。
【図４】前面扉の背面図。
【図５】筐体の正面図。
【図６】主制御装置の正面図。
【図７】主制御装置の斜視図。
【図８】第１蓋部材及び第２蓋部材を開放した状態を示す要部拡大図。
【図９】主制御装置のＡ−Ａ線断面図。
【図１０】リセットスイッチの変位状況を示す要部断面図。
【図１１】当選確率設定処理を示すフローチャート。
【符号の説明】
【０１０５】
１０…遊技機としてのスロットマシン、１１…筐体、３２…循環表示手段を構成すると共に周回体としてのリール、４１…開始操作手段又は始動操作手段としてのスタートレバー、４２〜４４…停止操作手段としてのストップスイッチ、５６〜５８…クレジット投入スイッチ、６５…補助演出部又は補助演出手段を構成する補助表示部、１００…主制御装置ユニット、１０１…制御装置としての主制御装置、１０２…制御基板としての主基板、１０４…第１操作部としてのリセットスイッチ、１０５…第２操作部としての設定キースイッチ、１０６…設定値表示部としての設定表示部、１１０…基板ボックス、１１１…ボックスカバー、１１２…ボックスケース、１２０…痕跡部材としての第１封印部材、１３１…リセットスイッチ収容部、１３２…蓋部材としての第１蓋部材、１３３ａ…開口部としての開口孔、１３４…被覆壁部、１３４ａ…壁部としての第１被覆壁部、１３４ｂ…第２壁部としての第２被覆壁部、１３９…付勢手段としてのコイルバネ、１４１…設定キースイッチ収容部、１４２…第２移動部材としての第２蓋部材、１４４…被覆壁部、１４９…付勢手段としてのコイルバネ、１５１…台座装置。